(57)【特許請求の範囲】
【請求項１】
伝送帯域が設定された物理的伝送媒体を通じて他の伝送装置に繋がれることによってネットワークシステムを構成し、予め当該伝送帯域に割り付けられた複数の伝送回線の中から選択された一つの伝送回線を用いて通信を中継する伝送装置であって、
前記伝送帯域に対して予め割り付けられている複数の伝送回線について、夫々、選択された場合に適用される優先度である経路選択時優先度，及び、選択されていない場合に適用される優先度である経路非選択時優先度とを記録した回線優先度情報を、保持する記憶部と、
前記伝送帯域について、それまで非選択であった何れかの伝送回線を選択すべき場合には、前記回線優先度情報に記録されている前記経路選択時優先度と、他の通信回線についての選択／非選択の現状に応じた優先度とを比較し、前者が後者よりも高い場合に限り、それまで非選択であった何れかの伝送回線を選択して、それまで選択されていた伝送回線を非選択に切り替える制御部と
を備えたことを特徴とする伝送装置。
【請求項２】
前記伝送帯域を終端するとともに、夫々異なる伝送回線が設定された複数の信号線に接続され、前記制御部からの指示に応じて何れかの伝送回線を選択して、選択した伝送回線と前記伝送帯域との間で信号を授受する回線選択部を
更に備えたことを特徴とする請求項１記載の伝送装置。
【請求項３】
端末に繋がる通信回線を現用系の伝送回線と待機用の伝送回線とに分岐するとともに、前記制御部からの指示に応じて、両伝送回線の間で当該通信回線によって授受される信号の経路を切り替える回線経路切替部を、更に備え、
前記制御部は、当該通信回線の現用系の伝送回線が割り付けられた伝送帯域に対する回線選択部において、当該通信回線の現用系の伝送回線を非選択に切り替えた場合には、当該通信回線の待機用の伝送回線が割り付けられた伝送帯域に対する回線選択部において、前記回線優先度情報に記録されている前記経路選択時優先度と、他の通信回線についての選択／非選択の現状に応じた優先度とを比較し、前者が後者よりも高い場合に限り、当該通信回線の待機用の伝送回線を選択して、それまで選択されていた伝送回線を非選択に切り替える
ことを特徴とする請求項２記載の伝送装置。
【請求項４】
前記回線優先度情報には、各伝送回線について、現に選択されているか否かの情報が含まれている
ことを特徴とする請求項１記載の伝送装置。
【請求項５】
伝送帯域が設定された物理的伝送媒体を通じて相互に繋がれた複数の伝送装置からなり、前記伝送帯域を割り当てられた伝送回線を用いて通信を中継するネットワークシステムであって、各伝送装置は、夫々、
前記伝送帯域に対して予め割り付けられている複数の伝送回線について、夫々、選択された場合に適用される優先度である経路選択時優先度，及び、選択されていない場合に適用される優先度である経路非選択時優先度とを記録した回線優先度情報を、保持する記憶部と、
前記伝送帯域について、それまで非選択であった何れかの伝送回線を選択すべき場合には、前記回線優先度情報に記録されている前記経路選択時優先度と、他の伝送回線についての選択／非選択の現状に応じた優先度とを比較し、前者が後者よりも高い場合に限り、それまで非選択であった何れかの伝送回線を選択し、それまで選択されていた伝送回線を非選択に切り替える制御部と
を備えている
ことを特徴とするネットワークシステム。
【発明の詳細な説明】
【技術分野】
【０００１】
本発明は、ネットワークを構成する他の伝送装置に繋がる物理的伝送媒体上に設定された個々の伝送帯域を、何れかの伝送回線に割り当てることにより、当該伝送回線を通じて通信を中継する伝送装置，及び、複数の伝送装置からなるネットワークシステムに関する。
【背景技術】
【０００２】
かかる伝送装置からなるネットワークシステムは、光多重通信システムのように、一つの物理伝送媒体上に複数帯域の伝送回線を設定するネットワークシステムや、リング型（メッシュ型，フルコネクト型を含む，以下同じ）トポロジーのように、複数の物理的伝送媒体が並行して相対する伝送装置間を結ぶ形態のネットワークシステムとして、採用することができる。そして、前者においては、複数帯域のうちの一つを或る通信回線の現用系伝送回線のために確保するとともに、別の帯域を同通信回線の待機系伝送回線のために確保することにより冗長構成を採用でき、後者においては、一方の物理的伝送媒体上に現用系伝送回線を確保するとともに、他方の物理的伝送媒体上に待機系伝送回線を確保することにより、冗長構成を採用することができる。
【０００３】
図１０は、冗長構成を採用するために、リング型トポロジーを採用し且つ完全二重化した光多重ネットワークシステムの概略構成を示す。この図１０に示されるように、かかるネットワークシステムは、複数（図では４つ）の伝送装置１００を光ファイバからなる物理的伝送媒体１０１を通じて相互に接続し、各伝送装置下に接続された端末（図示略）同士の間での通信回線の設定が、可能となっている。その際、各伝送装置１００間における物理的伝送媒体１０１の有する伝送容量が、複数の伝送帯域に分割され、各伝送帯域が、夫々何れか一つの通信回線に割り当てられることにより、光多重伝送が実現されている。ここに光多重伝送の方式としては、帯域を時分割する時間軸分割多重（ＴＤＭ）及び光の波長に応じて分割する波長多重（ＷＤＭ）がある。
【０００４】
このように各伝送装置１００間を接続する物理伝送媒体１０１の伝送帯域が複数に分割されているので、各伝送装置１００間に複数の通信回線の伝送回線を割り当てることができる。
【０００５】
さらに、各物理伝送媒体１０１全体がリング型のトポロジーを構成していることから、少なくとも、各物理伝送系を１００を時計方向に進む伝送回線と、反時計方向に進む伝送回線といった二通りの伝送回線を、或る伝送装置下の端末と他の伝送装置化の端末とを接続する一つの通信回線のために確保することができる。そこで、一方の伝送回線を現用系伝送回線として確保することにより、当該通信回線によるデータ（パケット）伝送用に常時用い、他方の伝送回線を待機系伝送回線として確保することにより、何らかの理由（物理的伝送媒体１０１自体の故障，多重化に用いられるマルチプレクサ等の回路の故障，等）に因り現用系伝送回線が使用できなくなった場合に、現用系に代えてデータ伝送用に用いるようにするのである。
【０００６】
しかしながら、従来のリング型のトポロジーを採用したネットワーク（以下、単に「リングネットワーク」という）では、伝送帯域は各通信回線毎に専用に割り当てられていたので、或る通信回線における現用系伝送回線が正常に使用可能である間は、待機系伝送回線用の伝送帯域は、実質上はデータ転送のためには使用されていないにも拘わらず、当該通信回線のためだけに確保されなければならないので、その物理伝送媒体における伝送帯域の全体的な使用状況が、不効率となっていた。
【０００７】
この点につき、例えば、特許文献１や特許文献２に記載の技術のように、優先順位に依って各通信回線に伝送帯域を割り当てる手法を採用すれば、優先度の低い通信回線の帯域を、優先度の高い通信回線に用いることで、伝送帯域を特定の通信回線に占有させることなく、伝送帯域を使用することが可能ではある。
【０００８】
しかし、上記従来技術は、冗長構成かどうかを考慮することなく、優先順位を通信回線毎に固定的に設定するに過ぎないので、仮にこれを冗長構成に用いたとしても、現用系の伝送回線を常に優先させるだけになってしまう。即ち、一つの伝送帯域に対して、第１の通信回線の待機系伝送回線とともに第２の通信回線の現用系伝送回線を候補として割り付け、常時には後者に当該伝送帯域を使用させるため、前者の優先度よりも後者の優先度を高く設定すると、上記第１の通信回線の現用系伝送回線が使用できなくなった場合でも、前者の優先度が後者の優先度よりも高いままであるので、当該第１の通信回線の待機系伝送回線を選択して、当該伝送帯域を使用させることができない。
【特許文献１】特開2001-36558号公報
【特許文献２】特開平8-8949号公報
【特許文献３】特開2000-182171号公報
【発明の開示】
【発明が解決しようとする課題】
【０００９】
そこで、本案の課題は、他の伝送装置に繋がる物理的伝送媒体上に設定された伝送帯域に対して、各伝送回線に設定した優先度に従って一つの伝送回線を選択して伝送帯域を割り当てる構成を基礎とし、必要に応じて、優先度の順序を変更することにより、特定の伝送回線を優先的に選択できるようにした伝送装置，及び、かかる伝送装置を複数個繋げてなるネットワークシステムを、提供することである。
【課題を解決するための手段】
【００１０】
上記課題を達成するために案出された本案の伝送装置は、伝送帯域が設定された物理的伝送媒体を通じて他の伝送装置に繋がれることによってネットワークシステムを構成し、予め当該伝送帯域に割り付けられた複数の伝送回線の中から選択された一つの伝送回線を用いて通信を中継する伝送装置であり、記憶部と制御部とを備えている。そして、記憶部は、前記伝送帯域に対して予め割り付けられている複数の伝送回線について、夫々、選択された場合に適用される優先度である経路選択時優先度，及び、選択されていない場合に適用される優先度である経路非選択時優先度とを記録した回線優先度情報を、保持している。また、制御部は、前記伝送帯域について、それまで非選択であった何れかの伝送回線を選択すべき場合には、前記回線優先度情報に記録されている前記経路選択時優先度と、他の通信回線についての選択／非選択の現状に応じた優先度とを比較し、前者が後者よりも高い場合に限り、前者の伝送回線を選択して、それまで選択されていた伝送回線を非選択に切り替える。
【００１１】
このように構成されることにより、或る伝送帯域について、予め複数の伝送回線を割り付け、回線優先度情報に記録されている各伝送回線の経路選択時優先度と経路非選択時優先度とを適宜調整することにより、常時には、特定の伝送回線（例えば、或る通信回線の現用系伝送回線）を選択して当該伝送帯域を使用させることができるが、障害発生（例えば、他の通信回線の現用系伝送回線）等の理由に因り、他の伝送回線（例えば、上記他の通信回線の待機系伝送回線）を選択すべき場合には、当該他の伝送回線の経路選択時優先度を、上記特定の伝送回線の現状の優先度と比較すべき対象とすることにより、当該他の伝送回線を選択して、当該伝送帯域を使用させることができる。
【００１２】
本案において、個々の物理的伝送媒体上に複数の伝送回線が設定されていても良い。ま
た、一つの伝送回線に複数の物理的伝送媒体が接続されていても良い。そして、一つの通信回線について、現用系伝送回線が一方の物理的伝送媒体上の伝送帯域に割り付けられ、待機系伝送回線が他方の物理的伝送媒体上の伝送帯域に割り付けられていても良い。
【発明の効果】
【００１３】
以上のように構成された本案によると、各伝送回線に設定した優先度に従って一つの伝送回線を選択して伝送帯域を割り当てる構成を採用しながら、必要に応じて、優先度の順序を変更することにより、特定の伝送回線を優先的に選択することができる。
【発明を実施するための最良の形態】
【００１４】
以下、本案によるネットワークシステムの実施の形態を説明する。以下に説明する例は、本案によるネットワークシステムを、４つの伝送装置１を光ファイバー等の物理的伝送媒体（図示略）にてリング状に接続してなるリングトポロジーを採用した光多重ネットワークである。但し、本案は、リングトポロジーを採用したネットワークに限られるものではなく、或る伝送装置１と他の伝送装置１とを結ぶ伝送帯域が複数存在するものである限り、メッシュ型又はフルコネクト型のトポロジーを採用するものであっても良く、更にいえば、バス型トポロジー又はツリー型トポロジーを採用するものであっても良い。また、物理的伝送媒体の伝送容量を複数帯域に分割する仕方は、時間軸分割であっても波長分割であっても良い。
【００１５】
図１及び図２においては、図示を簡略して理解を容易にするために、各伝送装置１同士を結ぶ物理的伝送媒体自体の図示を省略し、当該物理的伝送媒体の伝送容量を分割してなる多数の伝送帯域のうち、二つのみを図示している。なお、図１は、正常状態における伝送回線の割当例を示すものであり、図２は、伝送帯域ＡＤ１において障害が発生した場合における伝送回線の割り当て例を示すものである。
【００１６】
図１及び図２に示すように、各伝送装置１は、一つの制御部２に制御信号線を通じて接続されており、当該制御部２によってその各部（後述する回線経路切替部２１，回線選択部２２）の動作を制御される。この制御部２は、後述する回路優先情報３を格納した記憶媒体（記憶部）に接続されている（以下、当該回路優先情報３と記述した場合には、当該回路優先情報３自体を意味する他、当該当該回路優先情報３を格納した記憶媒体を意味する場合もある。）。なお、図１及び図２において、各帯域を通らずに伝送装置１の外枠に向かう矢印は、当該伝送装置１に接続された端末に繋がる通信回線を意味する。
【００１７】
次に、図３乃至図６を用いて、各伝送装置１のハードウェア構成の概略を説明する。なお、各伝送装置１は実際には全く同じハードウェア構成を有しているが、図１及び図２の帯域割当例に整合させるべく、図３は、正常状態における伝送装置Ａでの帯域割当例を示すものとし、図４は、伝送帯域ＡＤ１において障害が発生した場合における伝送装置Ａでの帯域割当例を示すものとし、図５は、正常状態における伝送装置Ｂでの帯域割当例を示すものとし、図６は、伝送帯域ＡＤ１において障害が発生した場合における伝送装置Ｂでの帯域割当例を示すものとする。
【００１８】
これら各図に示されるように、各伝送装置１は、当該伝送装置１に接続された図示せぬ端末に接続可能な回線数分（図３及び図４では三つ，図５及び図６では二つのみ図示）の回線経路切替部１０と、当該伝送装置１と隣接する各伝送装置１との間に繋がる伝送帯域の数分の回線選択部１１とを有しており、いずれも、制御部２に接続され、当該制御部２から制御信号を受けることによって、当該制御信号によって指定される通りの動作を行う。なお、実際には伝送装置Ａ内には他にも様々な回路（例えば、各回線選択部１１と物理的伝送媒体との間に設置されたマルチプレクサや光Ｉ／Ｏ等）が内蔵されているが、図示の簡略化のために、発明の実施に関係のない回路の図示を省略した。
【００１９】
具体的に、各回線経路切替部１０は、制御部２から受信した制御信号（経路切替制御信号）による指定に応じて、対応する通信回線を、現用系伝送回線（即ち、後述する回線優先度情報３により当該通信回線の現用系伝送回線に対応付けられた伝送帯域［回線選択部１１］に繋がる信号線），若しくは、待機系伝送回線（即ち、後述する回線優先度情報３により当該通信回線の待機系伝送回線に対応付けられた伝送帯域［回線選択部１１］に繋がる信号線）に切り替える。そして、かかる切替を完了すると、制御部２に対して、対応する回線に対して現用系伝送回線を選択したか待機系伝送回線を選択したかを特定する経路選択情報を通知する。
【００２０】
また、各回線選択部１１は、制御部２から受信した制御信号（回線選択制御信号）による指定に応じて、対応する伝送帯域に対して、後述する回線優先度情報３によって割り付けられた通信回線の現用系伝送回線及び他の通信回線の待機系伝送回線のうち、何れか一方を選択して割り当てる。そして、かかる選択を完了すると、制御部２に対して、対応する伝送帯域に対して現に選択した伝送回線を特定する回線選択結果情報を通知する。また、各回線経路選択部１１は、自己又は自己に対応する伝送帯域の障害を検知することができ、かかる障害を検知すると、当該伝送帯域に対する各伝送回線の選択を全て中止した上で、その旨の回線選択結果情報を制御部２に通知する。
【００２１】
次に、以上のような各回線経路切替部１０における現用系又は待機系の切替及び回線選択部１１における伝送回線の選択の手順を指定するために工夫された回線優先度情報３のデータ構造について、図８及び図９に基づいて説明する。なお、図８は、正常時における回線優先情報３の内容を示し、図９は、伝送帯域ＡＤ１において障害が発生した場合における回線優先情報３の内容を示す。これら図８及び図９に示されるように、回線優先情報３は、当該ネットワークシステムを構成する各伝送装置１間を結ぶ各伝送帯域毎に、夫々一つのレコードを備えている。そして、各レコードには、対応する伝送帯域に割り付けられた各伝送回線毎に、夫々、その伝送回線が当該伝送帯域に対して現に選択されているか選択されようとしている場合に適用される優先度（経路選択時優先度）とその伝送帯域が当該伝送帯域に対して現に選択されていない場合に適用される優先度（経路非選択時優先度）とが、登録されている。なお、図８及び図９の例では、優先度の数値が小さい程優先度が高いことが示すが、この関係は逆であっても構わない。さらに、各レコードには、対応する伝送帯域に現に選択されている伝送回線についての経路選択時の優先度を表示するセル及び現に選択されていない伝送回線についての経路非選択時の優先度を表示するセルが夫々アクティブに設定されている（各伝送回線について現に選択されているか否かの情報に相当）。図８及び図９においては、アクティブに設定されたセルが網掛けによって表示されている。
【００２２】
制御部２は、個々の伝送帯域毎に、経路選択時優先時を示すセルがアクティブに設定されている伝送回線が、当該伝送帯域に対して現に選択されている伝送回線であると認識し、経路非選択時優先時を示すセルがアクティブに設定されている伝送回線が、当該伝送帯域に対して現に選択されていない伝送回線であると認識する。また、制御部２は、或る伝送帯域に割り付けられているが現に選択されていなかった伝送回線を新たに当該伝送帯域に選択しようとする場合には、当該伝送回線についての経路選択時優先時と他の伝送回線についての現状の優先度（現に当該伝送帯域に対して選択されている伝送回線については経路選択時優先時，現に当該伝送帯域に対して選択されていない伝送回線については経路非選択時優先時）とを比較し、前者が後者の全てよりも高ければ所期の選択を行う様、回線選択部１１に対して回線選択制御情報を送信し、前者が後者の何れかよりも低ければ所期の選択を断念する。また、制御部２は、或る伝送帯域に現に選択されている伝送回線の選択を解除しようとする場合には、当該伝送回線についての経路非選択時優先時と他の伝送回線についての経路選択時優先時とを比較し、最も優先度が高い伝送回線のみを当該伝
送帯域に選択して、他の伝送回線の選択を解除する様、回線選択部１１に対して回線選択制御情報を送信する。
【００２３】
具体的には、いま、図８（ａ）に示すように、伝送帯域ＡＢ１に対して、通信回線ａの待機系伝送回線と通信回線ｂの現用系伝送回線とが割り付けられているとする。そして、通信回線ａの待機系伝送回線の経路選択時優先度が“１０”，経路非選択時優先度が“３０”であり、通信回線ｂの現用系伝送回線の経路選択時優先度が“２０”，経路非選択時優先度が“４０”であって、現に通信回線ｂの現用系伝送回線が当該伝送帯域ＡＢ１に対して選択されているとする。このとき、制御部２が、通信回線ａの待機系伝送回線を当該伝送帯域ＡＢ１に対して現に選択しようとすると、通信回線ａの待機系伝送回線の経路選択時優先度が“１０”，通信回線ｂの現用系伝送回線の経路選択時優先度が“２０”であるので、所期の選択を敢行することができる。
【００２４】
これに対して、図８（ｇ）に示すように、伝送帯域ＤＣ１に対して、通信回線ｅの待機系伝送回線と通信回線ａの現用系伝送回線とが割り付けられているとする。そして、通信回線ｅの待機系伝送回線の経路選択時優先度が“２０”，経路非選択時優先度が“４０”であり、通信回線ａの現用系伝送回線の経路選択時優先度が“１０”，経路非選択時優先度が“３０”であって、通信回線ａの現用系伝送回線が当該伝送帯域ＤＣ１に対して現に選択されているとする。このとき、制御部２が、通信回線ｅの待機系伝送回線を当該伝送帯域ＤＣ１に対して選択しようとすると、通信回線ｅの待機系伝送回線の経路選択時優先度が“２０”，通信回線ａの現用系伝送回線の経路選択時優先度が“１０”であるので、所期の選択を断念する。
【００２５】
以上のようにして、何れかの回路選択部１１において何れかの通信回線の伝送回線を新たに伝送帯域に対して選択、他の回線選択部１１において同通信回線の伝送回線の選択を解除すると、制御部２は、同通信回線に対応した回線切替部１０に対して伝送回線の切り替えを命じる。
【００２６】
なお、同じ伝送帯域についての回線選択部１１は、当該伝送帯域を介して対向する二つの伝送装置１に、夫々設けられている。従って、制御部２は、これら二つの回線選択部１１，１１に対して、夫々、同じ回線選択制御情報を送信する。また、同じ通信回線についての回線切替部１０は、当該通信回線の両端に位置する二つの伝送装置１に、夫々設けられている。従って、制御部２は、これら二つの回線切替部１０，１０に対して、夫々、同じ経路切替制御情報を送信する。
【００２７】
以下、制御部２，並びに、各伝送装置１における各回線切替部１０及び各回線選択部１１の具体的な動作を、図７のフローチャートを参照して説明する。
【００２８】
いま、何れかの伝送帯域に障害が発生すると、この伝送帯域に対応した回線選択部１１が当該障害を検知して、図７に示すフローＡの処理をスタートする。そして、最初のＳ０１において、当該回線選択部１１は、当該伝送帯域に割り付けられた全ての伝送回線に関して、当該伝送帯域に対する選択を中止する。
【００２９】
次のＳ０２では、回線選択部１１は、伝送回線の選択を中止した旨の回線選択結果情報を、制御部２へ送信する。
【００３０】
すると、この回線選択結果情報を受信した制御部２は、フローＢの処理をスタートする。そして、最初のＳ１１において、制御部２は、この回線選択結果情報を送信してきた回線選択部１１に対応した伝送帯域名に基づいて回線優先度情報３を検索することにより、当該回線選択部１１において従前選択されていた現用系伝送回線に関する通信回線の回線
名を読み出し、この回線名に対応した通信回線が経由する一対の回線経路切替部１０を特定する。
【００３１】
次のＳ１２では、制御部２は、Ｓ１１にて特定した回線経路切替部１０に対して、経路の切替を指示する経路切替制御情報を送信する。
【００３２】
次のＳ１３では、制御部２は、Ｓ１１にて読み出した回線名が示す通信回線の現用系伝送回線を選択している全回線選択部１１に対して、当該通信回線の現用系伝送回線を非選択に変更指示する旨の回線選択制御情報を送信する。
【００３３】
次のＳ１４では、制御部２は、回線優先度情報３における当該通信回線の現用系伝送回線の選択／非選択状態データを書き換える。即ち、当該現用系伝送回線についての前レコード  に対する経路選択時のセルを非アクティブとし、経路非選択時のセルをアクティブに変更する。
【００３４】
一方、回線選択制御情報を受信した各回線選択部１１は、フローＦの処理をスタートし、Ｓ２１において、現用系の伝送回線を非選択に変更する。
【００３５】
一方、経路切替制御情報を受信した各回線経路切替部１０は、夫々、フローＣの処理をスタートする。そして、最初のＳ３１において、この回線経路切替部１０は、回線の経路切替を実行し、現用系伝送回線から待機系伝送回線へ切り替える。
【００３６】
次のＳ３２では、各回線経路切替部１０は、待機系伝送回線を経路として選択した旨の経路選択情報を制御部２に通知する。
【００３７】
制御部２は、各回線経路切替部１０から経路選択情報を受信する毎に、フローＤのプロセスをスタートする。従って、以後、制御部２では、経路選択情報を送信してきた回線経路切替部１０に夫々応じて、複数のプロセスが並行実行されることになる。そして、各プロセスにおいて、制御部２は、最初のＳ４１において、経路選択情報を送信してきた回線経路切替部１０に対応した通信回線名に基づいて回線優先度情報３を検索することにより、当該通信回線名が示す通信回線の待機系伝送回線が割り付けられた伝送帯域名を、特定する。
【００３８】
次のＳ４２では、制御部２は、回線優先度情報３の当該伝送帯域名に係る全レコードにおける当該待機系伝送回線の選択／非選択状態データを書き換える。即ち、当該待機系伝送回線についての経路非選択時のセルを非アクティブとし、経路選択時のセルをアクティブに変更する。
【００３９】
次のＳ４３では、制御部２は、当該待機系伝送回線の経路選択時優先時を、当該レコードにおける他の全伝送回線についてのアクティブなセルに記載された優先度（現状の優先度）と、比較する。
【００４０】
次のＳ４４では、制御部２は、Ｓ４３での比較の結果、当該待機系伝送回線の経路選択時優先時が、当該レコードにおける他の全伝送回線についてのアクティブなセルに記載された優先度（現状の優先度）よりも高ければ、伝送回線の優先順位に変化があるとして、処理をＳ４５へ進める。これに対して、当該待機系伝送回線の経路選択時優先時が、当該レコードにおける何れかの伝送回線についてのアクティブなセルに記載された優先度（現状の優先度）よりも低ければ、伝送回線の優先順位に変化がないとして、当該プロセスを終了する。
【００４１】
Ｓ４５では、制御部２は、Ｓ４１にて特定した伝送帯域名に対応した一対の回線選択部１１に対して、現時点で最優先である当該待機系伝送回路を選択させる回線選択制御情報を送信する。  
【００４２】
一方、回線選択制御情報を受信した各回路選択部１１は、夫々、フローＥの処理を処理をスタートする。そして、最初のＳ５１において、回路選択部１１は、伝送帯域を割り当てるために選択すべき伝送回線を、最優先である当該待機系伝送回線に変更する。
【００４３】
次のＳ５２では、回線選択部１１は、伝送回線の選択を変更した旨の回線選択結果情報を、制御部２へ送信する。この回線選択結果情報を受信した制御部２では、上述したフローＢの処理を実行する。
【００４４】
以上の処理ループを経る毎に制御部２において並行実行されるプロセスの数が増え、また、同時に処理を実行する回線選択部１１及び回線経路切替部１０の数も増えるが、全てのプロセスについてフローＤのＳ４４において、伝送回線の優先順位に変化がないとの判断がなされると、ネットワークシステム全体における伝送回路の切替が完了したことになる。
【００４５】
以下、図８に示す通りの内容を有する回線優先度情報３に従い、各電送装置１間には、図１上に太実線にて示すように通信回線（現用系伝送回線）が設定されているとともに、細破線にて示すように待機系伝送回線が準備されており、伝送装置Ａ内では、図３上に太実線にて示すように通信回線（現用系伝送回線）が設定されているとともに、細破線にて示すように待機系伝送回線が準備されており、伝送装置Ｂ内では、図５上に太実線にて示すように通信回線（現用系伝送回線）が設定されているとともに、細破線にて示すように待機系伝送回線が準備されているものとして、実施形態の動作例を説明する。
【００４６】
前提として、図１に示すように、一つの伝送帯域は一つの伝送回線にしか割り当てられない。従って、ある通信回線の現用系伝送回線と他の通信回線の待機系伝送回線とが共に割り付けられている伝送帯域では、常時には、現用系伝送回線が選択されているので、待機系伝送回線用の帯域が予め確保されているわけではない。従って、待機系伝送回線のために伝送帯域が無駄に占有されてしまうことがなく、ネットワーク資源が有効に利用されている。
【００４７】
このとき、図２及び図４に示すように、伝送帯域ＡＤ１において障害が発生したとする。すると、伝送装置Ａにおける回線選択部（ＡＤ１）１１が、この障害を検知して、選択を中止し（Ｓ０１）、伝送回線の選択を中止した旨の回線選択結果情報を、制御部２へ送信する（Ｓ０２）。
【００４８】
すると、制御部２は、回線優先度情報３におけるＡＤ１のレコードから、当該伝送回線ＡＤ１に割り付けられている現用系の伝送回線が通信回線ａのものであると認識し、当該通信回線ａについての伝送装置Ａの回線経路切替部（ａ）１０，及び、伝送装置Ｃの回線経路切替部（ａ）１０を特定し（Ｓ１１）、経路の切替を指示する経路切替制御情報を送信する（Ｓ１２）。また、制御部２は、通信回線ａの現用系の伝送回線を選択している伝送装置Ｄの回線選択部（ＡＤ１）１１，伝送装置Ｄの回線選択部（ＤＣ１）１１，伝送装置Ｃの回線選択部（ＤＣ１）１１に、通信回線ａの現用系の伝送回線を非選択に変更する様指示する回線選択制御情報を送信し、これらの回線選択部１１は、非選択に変更する（Ｓ２１）。
【００４９】
伝送装置Ａの回線経路切替部（ａ）１０は、回線の経路切替を実行し、通信回線ａの現用系伝送回線から待機系伝送回線へ切り替える。この結果として送信される経路選択情報
を受信した制御部２では、当該伝送装置Ａの回線経路切替部（ａ）１０についてのプロセスをスタートし、回線優先度情報３から、通信回線ａの待機系伝送回線が割り付けられた伝送帯域がＡＢ１であると特定する（Ｓ４１）。そして、回線優先度情報３におけるＡＢ１のレコードにおける通信回線ａの待機系伝送回線の経路非選択時のセルを非アクティブとし、経路選択時のセルをアクティブに変更する（Ｓ４２）。その上で、制御部２は、通信回線ａの待機系伝送回路の経路選択時優先時“１０”を当該レコードにおける通信回線ｂの現用系伝送回線の経路選択時優先時“２０”と比較するが（Ｓ４３）、前者の方が高いので（Ｓ４４）、伝送帯域ＡＢ１に対応した伝送装置Ａの回線選択部（ＡＢ１）１１，及び、伝送装置Ｂの回線選択部（ＡＢ１）１１に対して、通信回線ａの待機系伝送回線を選択させる回線選択制御情報を送信する（Ｓ４５）。すると、伝送装置Ａの回線選択部（ＡＢ１）１１，及び、伝送装置Ｂの回線選択部（ＡＢ１）１１は、夫々、伝送帯域ＡＢ１を割り当てるために選択すべき伝送回線を、通信回線ａの待機系伝送回線に切り替えて（Ｓ５１）、伝送回線の選択を変更した旨の回線選択結果情報を、制御部２へ送信する。
【００５０】
他方、伝送装置Ｃの回線経路切替部（ａ）１０は、回線の経路切替を実行し、通信回線ａの現用系伝送回線から待機系伝送回線へ切り替える。この結果として送信される経路選択情報を受信した制御部２では、当該伝送装置Ｃの回線経路切替部（ａ）１０についてのプロセスをスタートし、回線優先度情報３から、通信回線ａの待機系伝送回線が割り付けられた伝送帯域がＢＣ１であると特定する（Ｓ４１）。そして、回線優先度情報３におけるＢＣ１のレコードにおける通信回線ａの待機系伝送回線の経路非選択時のセルを非アクティブとし、経路選択時のセルをアクティブに変更する（Ｓ４２）。その上で、制御部２は、通信回線ａの待機系伝送回路の経路選択時優先時“１０”を当該レコードにおける通信回線ｂの現用系伝送回線の経路選択時優先時“２０”と比較するが（Ｓ４３）、前者の方が高いので（Ｓ４４）、伝送帯域ＢＣ１に対応した伝送装置Ｃの回線選択部（ＢＣ１）１１，及び、伝送装置Ｂの回線選択部（ＢＣ１）１１に対して、通信回線ａの待機系伝送回線を選択させる回線選択制御情報を送信する（Ｓ４５）。すると、伝送装置Ｃの回線選択部（ＢＣ１）１１，及び、伝送装置Ｂの回線選択部（ＢＣ１）１１は、夫々、伝送帯域ＢＣ１を割り当てるために選択すべき伝送回線を、通信回線ａの待機系伝送回線に切り替えて（Ｓ５１）、伝送回線の選択を変更した旨の回線選択結果情報を、制御部２へ送信する。以上により、通信回線ａの経路は、現用系の伝送経路を辿る経路から、待機系の伝送経路を辿る経路に切り替えられる。
【００５１】
次に、伝送装置Ａの回線選択部（ＡＢ１）１１から回線選択結果情報を受信すると、制御部２は、回線優先度情報３におけるＡＢ１のレコードから、当該伝送回線ＡＢ１に割り付けられている現用系の伝送回線が通信回線ｂのものであると認識し、当該通信回線ｂについての伝送装置Ａの回線経路切替部（ｂ）１０，及び、伝送装置Ｂの回線経路切替部（ｂ）１０を特定し（Ｓ１１）、経路の切替を指示する経路切替制御情報を送信する（Ｓ１２）。また、制御部２は、通信回線ｂの現用系の伝送回線を選択していた伝送装置Ｂの回線選択部（ＡＢ１）１１に、通信回線ｂの現用系の伝送回線を非選択に変更する様指示するが、伝送装置Ｂの回線選択部（ＡＢ１）１１は、上述したように既に変更を完了しているので、重ねて処理を行わない。なお、その後、伝送装置Ｂの回線選択部（ＡＢ１）１１から回線選択結果情報を受信しても、必要な処理は完了しているので、制御部２は、重複処理を行わない。
【００５２】
伝送装置Ａの回線経路切替部（ｂ）１０は、回線の経路切替を実行し、通信回線ｂの現用系伝送回線から待機系伝送回線へ切り替える。この結果として送信される経路選択情報を受信した制御部２では、当該伝送装置Ａの回線経路切替部（ｂ）１０についてのプロセスをスタートし、回線優先度情報３から、通信回線ｂの待機系伝送回線が割り付けられた伝送帯域がＡＢ２であると特定する（Ｓ４１）。そして、回線優先度情報３におけるＡＢ２のレコードにおける通信回線ｂの待機系伝送回線の経路非選択時のセルを非アクティブ
とし、経路選択時のセルをアクティブに変更する（Ｓ４２）。その上で、制御部２は、通信回線ｂの待機系伝送回路の経路選択時優先時“１０”を当該レコードにおける通信回線ｃの現用系伝送回線の経路選択時優先時“２０”と比較するが（Ｓ４３）、前者の方が高いので（Ｓ４４）、伝送帯域ＡＢ２に対応した伝送装置Ａの回線選択部（ＡＢ２）１１，及び、伝送装置Ｂの回線選択部（ＡＢ２）１１に対して、通信回線ｂの待機系伝送回線を選択させる回線選択制御情報を送信する（Ｓ４５）。すると、伝送装置Ａの回線選択部（ＡＢ２）１１，及び、伝送装置Ｂの回線選択部（ＡＢ２）１１は、夫々、伝送帯域ＡＢ２を割り当てるために選択すべき伝送回線を、通信回線ｂの待機系伝送回線に切り替えて（Ｓ５１）、伝送回線の選択を変更した旨の回線選択結果情報を、制御部２へ送信する。
【００５３】
他方、伝送装置Ｂの回線経路切替部（ｂ）１０は、回線の経路切替を実行し、通信回線ｂの現用系伝送回線から待機系伝送回線へ切り替える。この結果として送信される経路選択情報を受信した制御部２では、当該伝送装置Ｂの回線経路切替部（ｂ）１０についてのプロセスをスタートし、回線優先度情報３から、通信回線ｂの待機系伝送回線が割り付けられた伝送帯域がＡＢ２であると特定する（Ｓ４１）。そして、回線優先度情報３におけるＡＢ２のレコードにおける通信回線ｂの待機系伝送回線の経路非選択時のセルを非アクティブとし、経路選択時のセルをアクティブに変更する（Ｓ４２）。その上で、制御部２は、通信回線ｂの待機系伝送回路の経路選択時優先時“１０”を当該レコードにおける通信回線ｃの現用系伝送回線の経路選択時優先時“２０”と比較するが（Ｓ４３）、前者の方が高いので（Ｓ４４）、伝送帯域ＡＢ２に対応した伝送装置Ａの回線選択部（ＡＢ２）１１，及び、伝送装置Ｂの回線選択部（ＡＢ２）１１に対して、通信回線ｂの待機系伝送回線を選択させる回線選択制御情報を送信する（Ｓ４５）。しかし、伝送装置Ａの回線選択部（ＡＢ２）１１，及び、伝送装置Ｂの回線選択部（ＡＢ２）１１は、既に処理完了しているので、重ねて処理を行わない。以上により、通信回線ｂの経路は、現用系の伝送経路を辿る経路から、待機系の伝送経路を辿る経路に切り替えられる。
【００５４】
次に、伝送装置Ｃの回線選択部（ＢＣ１）１１から回線選択結果情報を受信すると、制御部２は、回線優先度情報３におけるＢＣ１のレコードから、当該伝送回線ＢＣ１に割り付けられている現用系の伝送回線が通信回線ｄのものであると認識し、当該通信回線ｄについての伝送装置Ｃの回線経路切替部（ｄ）１０，及び、伝送装置Ｂの回線経路切替部（ｄ）１０を特定し（Ｓ１１）、経路の切替を指示する経路切替制御情報を送信する（Ｓ１２）。また、制御部２は、通信回線ｄの現用系の伝送回線を選択していた伝送装置Ｂの回線選択部（ＢＣ１）１１に、通信回線ｄの現用系の伝送回線を非選択に変更する様指示するが、伝送装置Ｂの回線選択部（ＢＣ１）１１は、上述したように既に変更を完了しているので、重ねて処理は行わない。なお、その後、伝送装置Ｂの回線選択部（ＢＣ１）１１から回線選択結果情報を受信しても、必要な処理は完了しているので、制御部２は、重複処理を行わない。
【００５５】
伝送装置Ｃの回線経路切替部（ｄ）１０は、回線の経路切替を実行し、通信回線ｄの現用系伝送回線から待機系伝送回線へ切り替える。この結果として送信される経路選択情報を受信した制御部２では、当該伝送装置Ｃの回線経路切替部（ｄ）１０についてのプロセスをスタートし、回線優先度情報３から、通信回線ｄの待機系伝送回線が割り付けられた伝送帯域がＢＣ２であると特定する（Ｓ４１）。そして、回線優先度情報３におけるＢＣ２のレコードにおける通信回線ｄの待機系伝送回線の経路非選択時のセルを非アクティブとし、経路選択時のセルをアクティブに変更する（Ｓ４２）。その上で、制御部２は、通信回線ｄの待機系伝送回路の経路選択時優先時“１０”を当該レコードにおける通信回線ｃの現用系伝送回線の経路選択時優先時“２０”と比較するが（Ｓ４３）、前者の方が高いので（Ｓ４４）、伝送帯域ＢＣ２に対応した伝送装置Ｃの回線選択部（ＢＣ２）１１，及び、伝送装置Ｂの回線選択部（ＢＣ２）１１に対して、通信回線ｄの待機系伝送回線を選択させる回線選択制御情報を送信する（Ｓ４５）。すると、伝送装置Ｃの回線選択部（
ＢＣ２）１１，及び、伝送装置Ｂの回線選択部（ＢＣ２）１１は、夫々、伝送帯域ＢＣ２を割り当てるために選択すべき伝送回線を、通信回線ｄの待機系伝送回線に切り替えて（Ｓ５１）、伝送回線の選択を変更した旨の回線選択結果情報を、制御部２へ送信する。
【００５６】
他方、伝送装置Ｂの回線経路切替部（ｄ）１０は、回線の経路切替を実行し、通信回線ｄの現用系伝送回線から待機系伝送回線へ切り替える。この結果として送信される経路選択情報を受信した制御部２では、当該伝送装置Ｂの回線経路切替部（ｄ）１０についてのプロセスをスタートし、回線優先度情報３から、通信回線ｄの待機系伝送回線が割り付けられた伝送帯域がＢＣ２であると特定する（Ｓ４１）。そして、回線優先度情報３におけるＢＣ２のレコードにおける通信回線ｄの待機系伝送回線の経路非選択時のセルを非アクティブとし、経路選択時のセルをアクティブに変更する（Ｓ４２）。その上で、制御部２は、通信回線ｄの待機系伝送回路の経路選択時優先時“１０”を当該レコードにおける通信回線ｃの現用系伝送回線の経路選択時優先時“２０”と比較するが（Ｓ４３）、前者の方が高いので（Ｓ４４）、伝送帯域ＢＣ２に対応した伝送装置Ｃの回線選択部（ＢＣ２）１１，及び、伝送装置Ｂの回線選択部（ＢＣ２）１１に対して、通信回線ｄの待機系伝送回線を選択させる回線選択制御情報を送信する（Ｓ４５）。しかし、伝送装置Ｃの回線選択部（ＢＣ２）１１，及び、伝送装置Ｂの回線選択部（ＢＣ２）１１は、既に処理完了しているので、重ねて処理を行わない。以上により、通信回線ｄの経路は、現用系の伝送経路を辿る経路から、待機系の伝送経路を辿る経路に切り替えられる。
【００５７】
次に、伝送装置Ａの回線選択部（ＡＢ２）１１から回線選択結果情報を受信すると、制御部２は、回線優先度情報３におけるＡＢ２のレコードから、当該伝送回線ＡＢ２に割り付けられている現用系の伝送回線が通信回線ｃのものであると認識し、当該通信回線ｃについての伝送装置Ａの回線経路切替部（ｃ）１０，及び、伝送装置Ｃの回線経路切替部（ｃ）１０を特定し（Ｓ１１）、経路の切替を指示する経路切替制御情報を送信する（Ｓ１２）。また、制御部２は、通信回線ｃの現用系の伝送回線を選択していた伝送装置Ｂの回線選択部（ＡＢ２）１１に、通信回線ｃの現用系の伝送回線を非選択に変更する様指示するが、伝送装置Ｂの回線選択部（ＡＢ２）１１は、上述したように既に変更を完了しているので、重ねて処理を行わない。なお、その後、伝送装置Ｂの回線選択部（ＡＢ２）１１から回線選択結果情報を受信しても、必要な処理は完了しているので、制御部２は、重複処理を行わない。
【００５８】
伝送装置Ａの回線経路切替部（ｃ）１０は、回線の経路切替を実行し、通信回線ｃの現用系伝送回線から待機系伝送回線へ切り替える。この結果として送信される経路選択情報を受信した制御部２では、当該伝送装置Ａの回線経路切替部（ｃ）１０についてのプロセスをスタートし、回線優先度情報３から、通信回線ｃの待機系伝送回線が割り付けられた伝送帯域がＡＤ２であると特定する（Ｓ４１）。そして、回線優先度情報３におけるＡＤ２のレコードにおける通信回線ｃの待機系伝送回線の経路非選択時のセルを非アクティブとし、経路選択時のセルをアクティブに変更する（Ｓ４２）。その上で、制御部２は、通信回線ｃの待機系伝送回路の経路選択時優先時“１０”を当該レコードにおける他の通信回線の経路選択時優先時と比較しようとするが（Ｓ４３）、比較対象が存在していないので（Ｓ４４）、伝送帯域ＡＤ２に対応した伝送装置Ａの回線選択部（ＡＤ２）１１，及び、伝送装置Ｄの回線選択部（ＡＤ２）１１に対して、通信回線ｃの待機系伝送回線を選択させる回線選択制御情報を送信する（Ｓ４５）。すると、伝送装置Ａの回線選択部（ＡD
２）１１，及び、伝送装置Ｄの回線選択部（ＡＤ２）１１は、夫々、伝送帯域ＡＤ２を通信回線ｃの待機系伝送回線に割り当てて（Ｓ５１）、伝送回線の選択を変更した旨の回線選択結果情報を、制御部２へ送信する。
【００５９】
他方、伝送装置Ｃの回線経路切替部（ｃ）１０は、回線の経路切替を実行し、通信回線ｃの現用系伝送回線から待機系伝送回線へ切り替える。この結果として送信される経路選
択情報を受信した制御部２では、当該伝送装置Ｃの回線経路切替部（ｃ）１０についてのプロセスをスタートし、回線優先度情報３から、通信回線ｃの待機系伝送回線が割り付けられた伝送帯域がＤＣ２であると特定する（Ｓ４１）。そして、回線優先度情報３におけるＤＣ２のレコードにおける通信回線ｃの待機系伝送回線の経路非選択時のセルを非アクティブとし、経路選択時のセルをアクティブに変更する（Ｓ４２）。その上で、制御部２は、通信回線ｃの待機系伝送回路の経路選択時優先時“１０”を当該レコードにおける通信回線ｅの現用系伝送回線の経路選択時優先時“２０”と比較するが（Ｓ４３）、前者の方が高いので（Ｓ４４）、伝送帯域ＤＣ２に対応した伝送装置Ｃの回線選択部（ＤＣ２）１１，及び、伝送装置Ｄの回線選択部（ＤＣ２）１１に対して、通信回線ｃの待機系伝送回線を選択させる回線選択制御情報を送信する（Ｓ４５）。すると、伝送装置Ｃの回線選択部（DＣ２）１１，及び、伝送装置Ｄの回線選択部（ＤＣ２）１１は、夫々、伝送帯域
ＤＣ２を割り当てるために選択すべき伝送回線を、通信回線ｃの待機系伝送回線に切り換えて（Ｓ５１）、伝送回線の選択を変更した旨の回線選択結果情報を、制御部２へ送信する。
【００６０】
次に、伝送装置Ａの回線選択部（ＡＤ１）１１から回線選択結果情報を受信すると、制御部２は、回線優先度情報３におけるＡＤ１のレコードから、当該伝送回線ＡＢ１に割り付けられている現用系の伝送回線が存在していないと認識するので、プロセスを中断する。なお、その後、伝送装置Ｄの回線選択部（ＡＤ１）１１から回線選択結果情報を受信しても、必要な処理は完了しているので、制御部２は、重複処理を行わない。
【００６１】
次に、伝送装置Ｃの回線選択部（ＤＣ２）１１から回線選択結果情報を受信すると、制御部２は、回線優先度情報３におけるＤＣ２のレコードから、当該伝送回線ＤＣ２に割り付けられている現用系の伝送回線が通信回線ｅのものであると認識し、当該通信回線ｅについての伝送装置Ｃの回線経路切替部（ｅ）１０，及び、伝送装置Ｄの回線経路切替部（ｅ）１０を特定し（Ｓ１１）、経路の切替を指示する経路切替制御情報を送信する（Ｓ１２）。また、制御部２は、通信回線ｅの現用系の伝送回線を選択していた伝送装置Dの回
線選択部（ＤＣ２）１１に、通信回線ｅの現用系の伝送回線を非選択に変更する様指示するが、伝送装置Ｄの回線選択部（ＤＣ２）１１は、上述したように既に変更を完了しているので、重ねて処理は行わない。なお、その後、伝送装置Dの回線選択部（ＤＣ２）１１
から回線選択結果情報を受信しても、必要な処理は完了しているので、制御部２は、重複処理を行わない。
【００６２】
伝送装置Ｃの回線経路切替部（ｅ）１０は、回線の経路切替を実行し、通信回線ｅの現用系伝送回線から待機系伝送回線へ切り替える。この結果として送信される経路選択情報を受信した制御部２では、当該伝送装置Ｃの回線経路切替部（ｅ）１０についてのプロセスをスタートし、回線優先度情報３から、通信回線ｅの待機系伝送回線が割り付けられた伝送帯域がＤＣ１であると特定する（Ｓ４１）。そして、回線優先度情報３におけるＤＣ１のレコードにおける通信回線ｅの待機系伝送回線の経路非選択時のセルを非アクティブとし、経路選択時のセルをアクティブに変更する（Ｓ４２）。その上で、制御部２は、通信回線ｅの待機系伝送回路の経路選択時優先時“１０”を当該レコードにおける通信回線ａの現用系伝送回線の経路非選択時優先時（即ち、現状の優先度）“３０”と比較するが（Ｓ４３）、前者の方が高いので（Ｓ４４）、伝送帯域ＤＣ１に対応した伝送装置Ｃの回線選択部（ＤＣ１）１１，及び、伝送装置Ｄの回線選択部（ＤＣ１）１１に対して、通信回線ｅの待機系伝送回線を選択させる回線選択制御情報を送信する（Ｓ４５）。すると、伝送装置Ｃの回線選択部（ＤＣ１）１１，及び、伝送装置Ｄの回線選択部（ＤＣ１）１１は、夫々、伝送帯域ＤＣ１を割り当てるために選択すべき伝送回線を、通信回線ｅの待機系伝送回線に切り替えて（Ｓ５１）、伝送回線の選択を変更した旨の回線選択結果情報を、制御部２へ送信する。
【００６３】
他方、伝送装置Ｄの回線経路切替部（ｅ）１０は、回線の経路切替を実行し、通信回線ｅの現用系伝送回線から待機系伝送回線へ切り替える。この結果として送信される経路選択情報を受信した制御部２では、当該伝送装置Ｄの回線経路切替部（ｅ）１０についてのプロセスをスタートし、回線優先度情報３から、通信回線ｅの待機系伝送回線が割り付けられた伝送帯域がＤＣ１であると特定する（Ｓ４１）。そして、回線優先度情報３におけるＤＣ１のレコードにおける通信回線ｅの待機系伝送回線の経路非選択時のセルを非アクティブとし、経路選択時のセルをアクティブに変更する（Ｓ４２）。その上で、制御部２は、通信回線ｅの待機系伝送回路の経路選択時優先時“１０”を当該レコードにおける通信回線ａの現用系伝送回線の経路非選択時優先時（即ち、現状の優先度）“３０”と比較するが（Ｓ４３）、前者の方が高いので（Ｓ４４）、伝送帯域ＤＣ１に対応した伝送装置Ｃの回線選択部（ＤＣ１）１１，及び、伝送装置Ｄの回線選択部（ＤＣ１）１１に対して、通信回線ｅの待機系伝送回線を選択させる回線選択制御情報を送信する（Ｓ４５）。しかし、伝送装置Ｃの回線選択部（ＤＣ１）１１，及び、伝送装置Ｄの回線選択部（ＤＣ１）１１は、既に処理完了しているので、重ねて処理を行わない。以上により、通信回線ｅの経路は、現用系の伝送経路を辿る経路から、待機系の伝送経路を辿る経路に切り替えられる。
【００６４】
以上により、制御部２及び各伝送装置１における各回線経路切替部１０及び各回線選択部１１の一連の処理が終了し、各通信回線ａ〜ｅが全て現用系伝送回線から待機系伝送回線へ切り替える。その結果、伝送回線ＡＤ１の障害発生前には図８に示す通りであった回線優先度情報３の各セルのアクティブ／非アクティブの状態が、図９に示すように変更され、各伝送装置１間では、図２上に太破線にて示すように通信回線（待機系伝送回線）の経路が切り替わり、伝送装置Ａ内では、図４上に太破線にて示すように通信回線（現用系伝送回線）の経路が切り替わり、伝送装置Ｂ内では、図６上に太破線にて示すように通信回線（現用系伝送回線）の経路が切り替わる。
【００６５】
なお、障害が回線ｂ乃至ｅの現用系伝送回線に生じた場合には、伝送装置Ｃの回線経路切替部ｅに関するフローＤの処理において、伝送帯域ＤＣ１における伝送回線ｅの待機系伝送回線の経路選択時優先時“２０”が、伝送回線ａの現用系伝送回線の経路選択時優先時“１０”と比較されることになるが（S４３）、前者は後者よりも低いので、伝送帯域
ＤＣ１を割り当てられる伝送回線の選択に、変更は生じない。従って、通信回線ｅの待機系伝送回線を使用することはできなくなるので、通信回線ｅは断線してしまうことになる。このように、通信回線ｅの待機系伝送回線は、通信回線ａの現用系伝送回線に障害が生じた場合には使用可能であるが、それ以外の通信回線ｂ〜ｅの現用系伝送回線に障害が生じた場合には使用することができない。つまり、本ネットワークシステムにおいて、通信回線ａの優先度が最も高く、通信回線ｅの優先度が最も低い。従って、通信回線ａは、音声データやムービーデータのようにリアルタイム性が必要とされる通信に適しているが、通信回線ｅであってもリアルタイム性が求められないデータ通信やバッヂ処理には利用可能である。
【００６６】
以上に説明したように、本実施形態のネットワークシステムによると、回線優先度情報３には、各伝送帯域毎に、当該伝送帯域に候補として割り付けられている各通信回線について、それが現に選択されて実際に当該伝送帯域を割り当てられた場合の優先度（経路選択時優先度）と選択されていない場合の優先度（経路非選択時優先度）とが記録されており、制御部２は、各伝送回線における選択／非選択の現状に応じて夫々決定される各伝送回線の優先度のうち、最も高い優先度に対応した伝送回線に、当該伝送帯域を割り当てる。従って、或る伝送回線が一旦選択されると、回線優先度情報３の状態が変化しない限り、その選択が維持されることになる。これに対して、制御部２がそれまで非選択であった何れかの伝送回線を選択しようとした場合、当該伝送回線における経路選択時優先度と、他の回線についての選択／非選択の現状に応じた優先度とを比較し、前者が後者よりも高
い場合に限り、当該伝送回線を選択して当該伝送帯域を割り当て、それまで選択されていた伝送回線を非選択に切り替える。従って、障害の発生に因って、ある通信回線についての伝送回線を現用系伝送回線から待機系伝送回線に切り替える必要が生じた場合であっても、当該待機系伝送回線が割り付けられている伝送回線において当該待機系伝送回線を選択することができるかどうかを、優先度の比較に基づいて明確に判断することができる。よって、待機系伝送回線を割り付けた伝送帯域を、正常時においては、他の通信回線の現用系伝送回線に割り付けておいて支障が生じない。その結果、伝送帯域の有効活用を図ることができる。
（付記）
（付記１）
伝送帯域が設定された物理的伝送媒体を通じて他の伝送装置に繋がれることによってネットワークシステムを構成し、予め当該伝送帯域に割り付けられた複数の伝送回線の中から選択された一つの伝送回線を用いて通信を中継する伝送装置であって、
前記伝送帯域に対して予め割り付けられている複数の伝送回線について、夫々、選択された場合に適用される優先度である経路選択時優先度，及び、選択されていない場合に適用される優先度である経路非選択時優先度とを記録した回線優先度情報を、保持する記憶部と、
前記伝送帯域について、それまで非選択であった何れかの伝送回線を選択すべき場合には、前記回線優先度情報に記録されている前記経路選択時優先度と、他の通信回線についての選択／非選択の現状に応じた優先度とを比較し、前者が後者よりも高い場合に限り、前者の伝送回線を選択して、それまで選択されていた伝送回線を非選択に切り替える制御部と
を備えたことを特徴とする伝送装置。
（付記２）
前記伝送帯域を終端するとともに、夫々異なる伝送回線が設定された複数の信号線に接続され、前記制御部からの指示に応じて何れかの伝送回線を選択して、選択した伝送回線と前記伝送帯域との間で信号を授受する回線選択部を
更に備えたことを特徴とする付記１記載の伝送装置。
（付記３）
端末に繋がる通信回線を現用系の伝送回線と待機用の伝送回線とに分岐するとともに、前記制御部からの指示に応じて、両伝送回線の間で当該通信回線によって授受される信号の経路を切り替える回線経路切替部を、更に備え、
前記制御部は、当該通信回線の現用系の伝送回線が割り付けられた伝送帯域に対する回線選択部において、当該通信回線の現用系の伝送回線を非選択に切り替えた場合には、当該通信回線の待機用の伝送回線が割り付けられた伝送帯域に対する回線選択部において、前記回線優先度情報に記録されている前記経路選択時優先度と、他の通信回線についての選択／非選択の現状に応じた優先度とを比較し、前者が後者よりも高い場合に限り、当該通信回線の待機用の伝送回線を選択して、それまで選択されていた伝送回線を非選択に切り替える
ことを特徴とする付記２記載の伝送装置。
（付記４）
前記回線優先度情報には、各伝送回線について、現に選択されているか否かの情報が含まれている
ことを特徴とする付記１記載の伝送装置。
（付記５）
伝送帯域が設定された物理的伝送媒体を通じて相互に繋がれた複数の伝送装置からなり、前記伝送帯域を割り当てられた伝送回線を用いて通信を中継するネットワークシステムであって、各伝送装置は、夫々、
前記伝送帯域に対して予め割り付けられている複数の伝送回線について、夫々、選択された場合に適用される優先度である経路選択時優先度，及び、選択されていない場合に適
用される優先度である経路非選択時優先度とを記録した回線優先度情報を、保持する記憶部と、
前記伝送帯域について、それまで非選択であった何れかの伝送回線を選択すべき場合には、前記回線優先度情報に記録されている前記経路選択時優先度と、他の伝送回線についての選択／非選択の現状に応じた優先度とを比較し、前者が後者よりも高い場合に限り、前者の伝送回線を選択し、それまで選択されていた伝送回線を非選択に切り替える制御部と
を備えている
ことを特徴とするネットワークシステム。
（付記６）
伝送帯域が設定された物理的伝送媒体を通じて他の伝送装置に繋がれることによってネットワークシステムを構成し、当該伝送帯域を割り当てられた伝送回線を用いて通信を中継する伝送装置を制御するとともに、前記伝送帯域に対して予め割り付けられている各伝送回線について、それが選択されて当該伝送帯域を割り当てられた場合の優先度である経路選択時優先度，及び、それが選択されていない場合の優先度である経路非選択時優先度とを記録した回線優先度情報を保持する記憶部に接続されたコンピュータを、
前記伝送帯域について、それまで非選択であった何れかの伝送回線を選択すべき場合には、前記回線優先度情報に記録されている当該伝送帯域について前記経路選択時優先度と、他の通信回線についての選択／非選択の現状に応じた優先度とを比較する比較手段，及び、
前者が後者よりも高い場合に限り、前者の伝送回線を選択して当該伝送帯域を割り当て、それまで選択されていた伝送回線を非選択に切り替える切替手段
として機能させるプログラム。
【図面の簡単な説明】
【００６７】
【図１】リングネットワークシステムでの伝送回線の設定例を示すブロック図
【図２】障害発生時におけるリングネットワークシステムでの伝送回線の変更例を示すブロック図
【図３】伝送装置Ａ内部での伝送回線の設定例を示すブロック図
【図４】障害発生時における伝送装置Ａ内部での伝送回線の設定例を示すブロック図
【図５】伝送装置Ｂ内部での伝送回線の設定例を示すブロック図
【図６】障害発生時における伝送装置Ｂ内部での伝送回線の設定例を示すブロック図
【図７】制御部，各伝送装置の各回線選択部及び各回線経路切替部が実行する処理を示すフローチャート
【図８】回線優先度情報の設定例を示す表
【図９】障害発生時における回線優先度情報の設定例を示す表
【図１０】光多重ネットワークシステムの概略構成を示すブロック図
【符号の説明】
【００６８】
１    伝送装置
２    制御部
３    回線優先情報
１０    回線経路切替部
１１    回線選択部
【図１】
0004983681.tif 000002
【図２】
0004983681.tif 000003
【図３】
0004983681.tif 000004
【図４】
0004983681.tif 000005
【図５】
0004983681.tif 000006
【図６】
0004983681.tif 000007
【図７】
0004983681.tif 000008
【図８】
0004983681.tif 000009
【図９】
0004983681.tif 000010
【図１０】
0004983681.tif 000011